(57)【特許請求の範囲】
【請求項１】
コンテンツと共に、当該コンテンツのジャンルとチャンネル数とを含む付加情報を受信する機能を有するテレビジョン受信装置であって、
前記ジャンルおよび前記チャンネル数に対応した出力チャンネル数を記憶している音声出力モード記憶手段と、
複数のスピーカからなる出力手段と、
前記付加情報に含まれる前記ジャンルおよび前記チャンネル数に基づいて前記音声出力モード記憶手段を参照することで前記出力チャンネル数を特定する出力チャンネル数特定手段と、
前記コンテンツのチャンネル数と前記出力チャンネル数特定手段によって特定された前記出力チャンネル数とが異なる場合に、前記コンテンツのチャンネル数を前記出力チャンネル数に変換する出力チャンネル数変換手段とを具備し、
前記出力チャンネル数特定手段によって特定された前記出力チャンネル数の前記スピーカを用いて音声出力させることを特徴とするテレビジョン受信装置。
【請求項２】
左右のフロントスピーカとセンタスピーカとを含む前記出力手段を具備し、
前記音声出力モード記憶手段には、２ｃｈ以上の前記チャンネル数に対応した前記出力チャンネル数が１ｃｈの前記ジャンルが少なくとも記憶されており、
前記出力チャンネル数特定手段によって特定された前記出力チャンネル数が１ｃｈである場合には、前記付加情報に含まれる前記チャンネル数が２ｃｈ以上であっても、前記左右のフロントスピーカからは音声出力させず、前記センタスピーカを用いて音声出力させることを特徴とする請求項１記載のテレビジョン受信装置。
【請求項３】
左右のフロントスピーカとセンタスピーカとを含む前記出力手段を具備し、
前記音声出力モード記憶手段には、１ｃｈの前記チャンネル数に対応した前記出力チャンネル数が２ｃｈの前記ジャンルが少なくとも記憶されており、
前記出力チャンネル数特定手段によって特定された前記出力チャンネル数が２ｃｈである場合には、前記付加情報に含まれる前記チャンネル数が１ｃｈ以上であっても、前記センタスピーカからは音声出力させず、前記左右のフロントスピーカを用いて音声出力させることを特徴とする請求項１又は２記載のテレビジョン受信装置。
【請求項４】
音声出力させない前記左右のフロントスピーカもしくは前記センタスピーカのアンプには、電力供給を停止させることを特徴とする請求項２又は３記載のテレビジョン受信装置。
【請求項５】
左右のフロントスピーカとセンタスピーカとからなる３ｃｈの前記出力手段を具備し、
前記出力チャンネル数特定手段は、前記コンテンツのチャンネル数が１ｃｈである場合には、特定する前記出力チャンネル数の選択肢として１ｃｈと、２ｃｈと、３ｃｈとの少なくともいずれかを有し、
前記出力チャンネル数変換手段は、前記出力チャンネル数として１ｃｈが特定された場合には、前記コンテンツのチャンネル数を変換することなく前記センタスピーカのみを用いて音声出力させ、前記出力チャンネル数として２ｃｈが特定された場合には、前記コンテンツのチャンネル数を２ｃｈに変換して前記左右のフロントスピーカのみを用いて音声出力させ、前記出力チャンネル数として３ｃｈが特定された場合には、前記コンテンツのチャンネル数を３ｃｈに変換して前記出力手段の全てを用いて音声出力させることを特徴とする請求項１乃至４のいずれかに記載のテレビジョン受信装置。
【請求項６】
左右のフロントスピーカとセンタスピーカとからなる３ｃｈの前記出力手段を具備し、
前記出力チャンネル数特定手段は、前記コンテンツのチャンネル数が２ｃｈである場合には、特定する前記出力チャンネル数の選択肢として１ｃｈと、２ｃｈと、３ｃｈとの少なくともいずれかを有し、
前記出力チャンネル数変換手段は、前記出力チャンネル数として１ｃｈが特定された場合には、前記コンテンツのチャンネル数を１ｃｈに変換して前記センタスピーカのみを用いて音声出力させ、前記出力チャンネル数として２ｃｈが特定された場合には、前記コンテンツのチャンネル数を変換することなく前記左右のフロントスピーカのみを用いて音声出力させ、前記出力チャンネル数として３ｃｈが特定された場合には、前記コンテンツのチャンネル数を３ｃｈに変換して前記出力手段の全てを用いて音声出力させることを特徴とする請求項１乃至５のいずれかに記載のテレビジョン受信装置。
【請求項７】
左右のフロントスピーカとセンタスピーカとからなる３ｃｈの前記出力手段を具備し、
前記出力チャンネル数特定手段は、前記コンテンツのチャンネル数が５．１ｃｈである場合には、特定する前記出力チャンネル数の選択肢として１ｃｈと、２ｃｈと、３ｃｈとの少なくともいずれかを有し、
前記出力チャンネル数変換手段は、前記出力チャンネル数として１ｃｈが特定された場合には、前記コンテンツのチャンネル数を１ｃｈに変換して前記センタスピーカのみを用いて音声出力させ、前記出力チャンネル数として２ｃｈが特定された場合には、前記コンテンツのチャンネル数を２ｃｈに変換して前記左右のフロントスピーカのみを用いて音声出力させ、前記出力チャンネル数として３ｃｈが特定された場合には、前記コンテンツのチャンネル数を３ｃｈに変換して前記出力手段の全てを用いて音声出力させることを特徴とする請求項１乃至６のいずれかに記載のテレビジョン受信装置。
【請求項８】
前記出力手段は、０．１ｃｈのサブウーファを具備し、
前記出力チャンネル数特定手段は、特定する前記出力チャンネル数の選択肢として２．１ｃｈと、３．１ｃｈとを有し、
前記出力チャンネル数変換手段は、前記出力チャンネル数として２．１ｃｈが特定された場合には、前記コンテンツのチャンネル数を２．１ｃｈに変換して前記左右のフロントスピーカと前記サブウーファとを用いて音声出力させ、前記出力チャンネル数として３．１ｃｈが特定された場合には、前記コンテンツのチャンネル数を３．１ｃｈに変換して前記左右のフロントスピーカと前記センタスピーカと前記サブウーファを用いて音声出力させることを特徴とする請求項５乃至７のいずれかに記載のテレビジョン受信装置。
【発明の詳細な説明】
【技術分野】
【０００１】
本発明は、複数の音声出力モードが設定されているテレビジョン受信装置に関し、特に付加情報としてコンテンツに付加されているジャンルに応じて音声出力モードを決定し、決定した音声出力モードで音声出力するテレビジョン受信装置に関する。
【背景技術】
【０００２】
従来、テレビ局から放送される番組等のコンテンツを映像・音声出力するテレビジョン受信装置において、複数の音声出力モードが設定され、付加情報としてコンテンツに付加されているジャンルに応じて音声出力モードを決定し、決定した音声出力モードで音声出力するものが知られている（例えば、特許文献１参照）。
【０００３】
しかしながら、従来技術では、コンテンツに設定されているジャンルに応じた音声出力モードが決定されるが、コンテンツのチャンネル数によっては、ジャンルに応じて決定された音声出力モードが最適なリスニング環境とはならない場合があり、ジャンルおよびコンテンツのチャンネル数によっては最適なリスニング環境を実現することができないという問題点があった。
【特許文献１】特開２００５−９４０７２号公報
【発明の開示】
【発明が解決しようとする課題】
【０００４】
本発明は斯かる問題点に鑑みてなされたものであり、その目的とするところは、ジャンルおよびコンテンツのチャンネル数に適した音声出力モードで音声出力させることができ、コンテンツのチャンネル数に左右されることなく最適なリスニング環境を実現することができるテレビジョン受信装置を提供する点にある。
【課題を解決するための手段】
【０００５】
本発明は上記課題を解決すべく、以下に掲げる構成とした。
本発明のテレビジョン受信装置は、コンテンツと共に、当該コンテンツのジャンルとチャンネル数とを含む付加情報を受信する機能を有するテレビジョン受信装置であって、前記ジャンルおよび前記チャンネル数に対応した出力チャンネル数を記憶している音声出力モード記憶手段と、複数のスピーカからなる出力手段と、前記付加情報に含まれる前記ジャンルおよび前記チャンネル数に基づいて前記音声出力モード記憶手段を参照することで前記出力チャンネル数を特定する出力チャンネル数特定手段と、前記コンテンツのチャンネル数と前記出力チャンネル数特定手段によって特定された前記出力チャンネル数とが異なる場合に、前記コンテンツのチャンネル数を前記出力チャンネル数に変換する出力チャンネル数変換手段とを具備し、前記出力チャンネル数特定手段によって特定された前記出力チャンネル数の前記スピーカを用いて音声出力させることを特徴とする。
【０００６】
左右のフロントスピーカとセンタスピーカとを含む前記出力手段を具備し、前記音声出力モード記憶手段には、２ｃｈ以上の前記チャンネル数に対応した前記出力チャンネル数が１ｃｈの前記ジャンルが少なくとも記憶されており、前記出力チャンネル数特定手段によって特定された前記出力チャンネル数が１ｃｈである場合には、前記付加情報に含まれる前記チャンネル数が２ｃｈ以上であっても、前記左右のフロントスピーカからは音声出力させず、前記センタスピーカを用いて音声出力させることを特徴とする。
【０００７】
左右のフロントスピーカとセンタスピーカとを含む前記出力手段を具備し、前記音声出力モード記憶手段には、１ｃｈの前記チャンネル数に対応した前記出力チャンネル数が２ｃｈの前記ジャンルが少なくとも記憶されており、前記出力チャンネル数特定手段によって特定された前記出力チャンネル数が２ｃｈである場合には、前記付加情報に含まれる前記チャンネル数が１ｃｈ以上であっても、前記センタスピーカからは音声出力させず、前記左右のフロントスピーカを用いて音声出力させることを特徴とする。
【０００８】
さらに、本発明のテレビジョン受信装置は、音声出力させない前記左右のフロントスピーカもしくは前記センタスピーカのアンプには、電力供給を停止させることを特徴とする。
【０００９】
さらに、本発明のテレビジョン受信装置は、左右のフロントスピーカとセンタスピーカとからなる３ｃｈの出力手段を具備し、前記出力チャンネル数特定手段は、前記コンテンツのチャンネル数が１ｃｈである場合には、特定する前記出力チャンネル数の選択肢として１ｃｈと、２ｃｈと、３ｃｈとの少なくともいずれかを有し、前記出力チャンネル数変換手段は、前記出力チャンネル数として１ｃｈが特定された場合には、前記コンテンツのチャンネル数を変換することなく前記センタスピーカのみを用いて音声出力させ、前記出力チャンネル数として２ｃｈが特定された場合には、前記コンテンツのチャンネル数を２ｃｈに変換して前記左右のフロントスピーカのみを用いて音声出力させ、前記出力チャンネル数として３ｃｈが特定された場合には、前記コンテンツのチャンネル数を３ｃｈに変換して前記出力手段の全てを用いて音声出力させることを特徴とする。
【００１０】
さらに、本発明のテレビジョン受信装置は、左右のフロントスピーカとセンタスピーカとからなる３ｃｈの出力手段を具備し、前記出力チャンネル数特定手段は、前記コンテンツのチャンネル数が２ｃｈである場合には、特定する前記出力チャンネル数の選択肢として１ｃｈと、２ｃｈと、３ｃｈとの少なくともいずれかを有し、前記出力チャンネル数変換手段は、前記出力チャンネル数として１ｃｈが特定された場合には、前記コンテンツのチャンネル数を１ｃｈに変換して前記センタスピーカのみを用いて音声出力させ、前記出力チャンネル数として２ｃｈが特定された場合には、前記コンテンツのチャンネル数を変換することなく前記左右のフロントスピーカのみを用いて音声出力させ、前記出力チャンネル数として３ｃｈが特定された場合には、前記コンテンツのチャンネル数を３ｃｈに変換して前記出力手段の全てを用いて音声出力させることを特徴とする。
【００１１】
さらに、本発明のテレビジョン受信装置は、左右のフロントスピーカとセンタスピーカとからなる３ｃｈの出力手段を具備し、前記出力チャンネル数特定手段は、前記コンテンツのチャンネル数が５．１ｃｈである場合には、特定する前記出力チャンネル数の選択肢として１ｃｈと、２ｃｈと、３ｃｈとの少なくともいずれかを有し、前記出力チャンネル数変換手段は、前記出力チャンネル数として１ｃｈが特定された場合には、前記コンテンツのチャンネル数を１ｃｈに変換して前記センタスピーカのみを用いて音声出力させ、前記出力チャンネル数として２ｃｈが特定された場合には、前記コンテンツのチャンネル数を２ｃｈに変換して前記左右のフロントスピーカのみを用いて音声出力させ、前記出力チャンネル数として３ｃｈが特定された場合には、前記コンテンツのチャンネル数を３ｃｈに変換して前記出力手段の全てを用いて音声出力させることを特徴とする。
【００１２】
さらに、本発明のテレビジョン受信装置は、前記出力手段は、０．１ｃｈのサブウーファを具備し、前記出力チャンネル数特定手段は、特定する前記出力チャンネル数の選択肢として２．１ｃｈと、３．１ｃｈとを有し、前記出力チャンネル数変換手段は、前記出力チャンネル数として２．１ｃｈが特定された場合には、前記コンテンツのチャンネル数を２．１ｃｈに変換して前記左右のフロントスピーカと前記サブウーファとを用いて音声出力させ、前記出力チャンネル数として３．１ｃｈが特定された場合には、前記コンテンツのチャンネル数を３．１ｃｈに変換して前記左右のフロントスピーカと前記センタスピーカと前記サブウーファを用いて音声出力させることを特徴とする。
【発明の効果】
【００１３】
本発明のテレビジョン受信装置は、ジャンルおよびコンテンツのチャンネル数の組み合わせに対応した出力チャンネル数を記憶しておき、ジャンルおよびコンテンツのチャンネル数に基づいて特定した出力チャンネル数と、コンテンツのチャンネル数とが異なる場合に、コンテンツのチャンネル数を出力チャンネル数に変換するように構成することにより、ジャンルおよびコンテンツのチャンネル数に適した出力チャンネル数で音声出力できるため、コンテンツのチャンネル数に左右されることなく最適なリスニング環境を実現することができるという効果を奏する。
【００１４】
さらに、本発明のテレビジョン受信装置は、出力チャンネル数が１ｃｈである場合には、センタスピーカのみから音声出力させ、左右のフロントスピーカからは音声出力させないように構成することにより、声中心のソースである場合に、左右のフロントスピーカから出力すると、視聴位置により左右のフロントスピーカからの位相差で周波数により弱め合ったり、強め合ったりして、聞こえにくくなるが、センタスピーカのみから出力することで、視聴位置がどこであっても明瞭に聞き取ることができるという効果を奏する。
【００１５】
さらに、本発明のテレビジョン受信装置は、出力チャンネル数が２ｃｈである場合には、左右のフロントスピーカから音声出力させ、センタスピーカからは音声出力させないように構成することにより、音楽中心のソースである場合に、センタスピーカにモノラル成分が出力されると、音声がずれて聞こえてきたり重なったりして聞こえにくくなると共にセンタスピーカの高さが左右のフロントスピーカと違ったり、また、スピーカ特性がセンタスピーカと左右のフロントスピーカとで異なったりすると、センタスピーカを使用しない方が臨場感のある音楽を楽しむことができるという効果を奏する。
【００１６】
さらに、本発明のテレビジョン受信装置は、音声出力させない左右のフロントスピーカもしくはセンタスピーカのアンプには、電力供給を停止させるように構成することにより、消費電力を低減させることができるという効果を奏する。
【発明を実施するための最良の形態】
【００１７】
以下、本発明の実施の形態を図面に基づいて詳細に説明する。
【００１８】
図１は、本発明に係るテレビジョン受信装置の実施の形態の構成を示すブロック図であり、図２は、図１に示すテレビジョン受信装置の正面図であり、図３は、図１に示すチャンネル数変換処理部の機能を説明する説明図であり、図４は、図１に示すリモコン受光部の構成図であり、図５は、図１に示すメモリに記憶されているジャンル特定テーブル例を示す図であり、図６および図７は、図１に示すメモリに記憶されている音声出力モードテーブル例を示す図である。
【００１９】
本実施の形態のテレビジョン受信装置１は、図１を参照すると、アンテナ２と、チューナ３と、多重化復元部４と、映像復号部５と、音声復号部６と、コンテンツ情報復号部７と、表示部８と、オーディオ制御部９と、システムコントローラ１０と、左右のフロントスピーカ１１Ｌ、１１Ｒと、センタスピーカ１１Ｃと、サブウーファ１１ＳＷと、雑音検知部１２と、リモコン受光部１３と、アンプ１４Ｌ、１４Ｒ、１４Ｃ、１４ＳＷと、ボリューム１５と、遅延処理部１６と、メモリ１７と、操作部１８とからなる。左右のフロントスピーカ１１Ｌ、１１Ｒと、センタスピーカ１１Ｃと、サブウーファ１１ＳＷの配置は、図２に示すように、表示部８の左右に左右のフロントスピーカ１１Ｌ、１１Ｒがそれぞれ配置されていると共に、表示部８の下方にセンタスピーカ１１Ｃが、表示部８の背面側にサブウーファ１１ＳＷがそれぞれ配置されている。
【００２０】
チューナ３は、アンテナ２によって受信された放送信号を所望の周波数が選局し、復調処理を行う。なお、アンテナ２によって受信される放送信号は、アナログ放送、ＢＳアナログ放送、ＢＳデジタル放送等であり、チューナ３によって復調される信号は、コンテンツの映像信号と音声信号および当該コンテンツに関する付加情報が時分割複合化された多重化信号として多重化復元部４に出力される。また、コンテンツとは、放送局からの放送信号によって供給される番組に限らず、インターネット等のネットワークを介して得られる番組、ＤＶＤ（Digital Versatile Disc）等の記録媒体から得られる番組を含むものとし、この場合には、ネットワークおよび記録媒体の再生装置からコンテンツの映像信号と音声信号および当該コンテンツに関する付加情報が時分割複合化された多重化信号が多重化復元部４に出力される。
【００２１】
多重化復元部４は、チューナ３（もしくはネットワーク、記録媒体の再生装置）から入力された多重化信号を映像信号と、音声信号と、付加情報とに分離し、分離した映像信号は、映像復号部５に、分離した音声信号は、音声復号部６に、分離した付加情報は、コンテンツ情報復号部７にそれぞれ出力する。なお、付加情報は、入力信号に多重されているジャンルコードや、ＥＰＧ（Electronic Programming Guide）等の情報であり、コンテンツのジャンル（「映画」、「ドラマ」、「音楽」、「ドキュメンタリ」、「ニュース」等）が含まれているものとする。
【００２２】
映像復号部５は、多重化復元部４から入力された映像信号を復号化し、復号化された映像信号は、表示部８に表示される。表示部８としては、液晶ディスプレイ、プラズマディスプレイ、ＣＲＴ等の表示手段が用いられる。
【００２３】
音声復号部６は、多重化復元部４から入力された音声信号を復号化し、復号化された音声信号は、オーディオ制御部９によって加工された後、ボリューム１５を介してアンプ１４Ｌ、１４Ｒ、１４Ｃ、１４ＳＷで増幅され、左右のフロントスピーカ１１Ｌ、１１Ｒと、センタスピーカ１１Ｃと、サブウーファ１１ＳＷとから音声出力される。
【００２４】
コンテンツ情報復号部７は、多重化復元部４から入力された付加情報を復号化すると共に、復号化された付加情報からジャンルを抽出し、抽出したジャンルがコンテンツ情報としてシステムコントローラ１０に出力される。なお、同一のコンテンツに複数のジャンルが設定されている場合、すなわち付加情報として同一のコンテンツに複数のジャンルが含まれている場合には、抽出した複数のジャンルがシステムコントローラ１０に出力される。
【００２５】
オーディオ制御部９は、音声復号部６によって復号化された音声信号に加工を施す音質調整手段であり、チャンネル数変換処理部９１と、音場変更処理部９２と、強調処理部９３と、イコライザ処理部９４とからなる。
【００２６】
チャンネル数変換処理部９１は、音声復号部６によって復号化された音声信号のチャンネル数を変換する機能を有し、チャンネル数変換処理として、例えば、５．１ｃｈの音声信号を３．１ｃｈ又は１ｃｈに、２ｃｈの音声信号を１ｃｈに、３．１ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を３．１ｃｈ又は５．１ｃｈに変換するマトリクスデコード処理、１ｃｈの音声信号を２ｃｈに変換するステレオ変換処理が行われる。
【００２７】
音場変更処理部９２は、音場、すなわちリスニング環境を変更する機能を有し、例えば、スイートスポットを拡大するスイートスポット拡大処理、仮想的なスピーカ位置をスピーカの外側に移動させるスピーカ位置変更処理が行われる。
【００２８】
強調処理部９３は、センタスピーカ１１Ｃからの音声出力を他のスピーカから音声出力よりも強調する機能を有し、例えば、センタスピーカ１１Ｃから出力される音声信号のみを増幅するセンタ強調処理、センタスピーカ１１Ｃから出力される音声信号を増幅すると共に、他のスピーカから出力される音声信号を減幅するバランス調整処理が行われる。
【００２９】
イコライザ処理部９４は、周波数帯域毎に、ゲインを増減して音質をコントロールする機能を有し、フロントスピーカ１１Ｌ、１１Ｒの指向性による周波数特性を補正する指向性補正処理を行うと共に、低音を増幅する低音増強処理を行う。
【００３０】
雑音検知部１２は、テレビジョン受信装置１周辺の雑音を集音するマイクを有し、雑音レベルが予め定められた所定値以上である場合には、雑音レベルが予め定められた所定値以上であることを知らせる雑音信号をシステムコントローラ１０に出力する。なお、リモコン２０にマイクを設け、リモコン２０周辺の雑音を集音し、リモコン２０周辺の雑音レベルが予め定められた所定値以上である場合に、リモコン２０からシステムコントローラ１０にリモコン受光部１３を介して雑音信号が出力されるようにしても良い。
【００３１】
リモコン受光部１３は、リモコン２０からの操作信号（赤外線）を受信し、受信した操作信号をシステムコントローラ１０に出力すると共に、リモコン２０の距離および方向を検出して、検出したリモコン２０の位置をシステムコントローラ１０に出力する。リモコン受光部１３は、図４を参照すると、取り付け方向が異なる受光素子１３１ａ、１３１ｂ、１３１ｃを備えており、各受光素子１３１ａ、１３１ｂ、１３１ｃの受信感度の光学指向性は、図４に符号１３２ａ、１３２ｂ、１３２ｃで示すように、テレビジョン受信装置１前面側の異なるエリアをカバーするように設定されている。従って、受光素子１３１ａ、１３１ｂ、１３１ｃの出力レベルを判定することで、テレビジョン受信装置１に対するリモコン２０の位置を検出することができる。
【００３２】
遅延処理部１６は、左のフロントスピーカ１１Ｌから出力される音声信号、もしくは右のフロントスピーカ１１Ｒから出力される音声信号のいずれかを遅延させる遅延処理を行う。
【００３３】
メモリ１７は、コンテンツ情報復号部７によって抽出されたコンテンツ情報が記憶されると共に、コンテンツに複数のジャンルが設定されている場合に、コンテンツのジャンルを特定するジャンル特定テーブルと、コンテンツのジャンル、コンテンツのチャンネル数、リモコン受光部１３によって検出されるリモコン２０の位置および雑音検知部１２によって検出される雑音レベルの各種条件に応じた音声出力モードが定義されている音声出力モードテーブルがそれぞれ記憶されている。
【００３４】
ジャンル特定テーブルは、図５に示すように、複数のジャンルを組み合わせた登録ジャンルが定義されていると共に、各ジャンルに対して優先順位が定義されている。なお、本実施の形態では、「映画」＋「ドキュメンタリ」の組み合わせが「登録ジャンルＡ」として、「映画」＋「音楽」の組み合わせが「登録ジャンルＢ」としてそれぞれ定義されていると共に、「ドキュメンタリ」、「ドラマ」、「音楽」、「映画」、「ニュース」の順に優先順位が定義されている。
【００３５】
音声出力モードテーブルは、図６および図７に示すように、各種条件に応じた音声出力モードが定義されている。図６は、コンテンツのジャンルおよびチャンネル数に応じた音声出力モードが定義された音声出力モードテーブルであり、ジャンルおよびチャンネル数の組み合わせに応じて、チャンネル数変換処理部９１で行われるチャンネル数変換処理と、強調処理部９３で行われるセンタ強調処理とが定義されている。また、図７は、リモコン２０の位置および雑音レベルや、システムコントローラ１０によって把握可能な情報（時刻等）に応じた音声出力モードが定義された音声出力モードテーブルであり、リモコン２０の位置、雑音レベル、時刻に応じて音場変更処理部９２で行われるスイートスポット拡大処理およびスピーカ位置変更処理と、強調処理部９３で行われるセンタ強調処理と、イコライザ処理部９４で行われる指向性補正処理および低音増強処理と、遅延処理部１６で行われる遅延処理とが定義されている。
【００３６】
操作部１８は、テレビジョン受信装置１における各種操作の実行を指示する入力手段であり、チャンネルの選択指示、ボリュームの調整指示等の入力が行われると共に、メモリ１７に記憶されたジャンル特定テーブルおよび音声出力モードテーブルの新規登録、削除、変更入力が行われる。
【００３７】
システムコントローラ１０は、メモリ１７に記憶されているコンテンツ情報およびジャンル特定テーブルに基づいてコンテンツのジャンルを特定すると共に、特定したジャンルと、コンテンツのチャンネル数と、リモコン２０の位置と、雑音レベルと、時刻とに基づいて音声出力モードテーブルを参照して音声出力モードを決定し、決定した音声出力モードに応じてオーディオ制御部９や遅延処理部１６を制御する。
【００３８】
次に、本実施の形態におけるジャンル特定動作について図８を参照して詳細に説明する。
図８は、図１に示すシステムコントローラ１０で行われるジャンル特定動作を説明するためのフローチャートである。
【００３９】
システムコントローラ１０は、映像および音声出力するコンテンツのジャンル特定動作として、まず、メモリ１７に記憶されているコンテンツ情報を参照することで、映像および音声出力するコンテンツに設定されているジャンルを把握し、把握したジャンルがメモリ１７に記憶されているジャンル特定テーブルに定義されているか否かを判断し（ステップＡ１）、ジャンルがジャンル特定テーブルに定義されていない場合（複数のジャンルが設定されている際には、設定されている全てのジャンルが定義されていない場合）には、その他のジャンルとして特定する（ステップＡ２）。
【００４０】
ステップＡ１でジャンルがジャンル特定テーブルに定義されている場合（複数のジャンルが設定されている際には、設定されている全てもしくはいずれかのジャンルが定義されている場合）には、コンテンツに複数のジャンルが設定されているか否かを判断し（ステップＡ３）、コンテンツに複数のジャンルが設定されていない場合には、コンテンツに設定されているジャンルを特定する（ステップＡ４）。
【００４１】
ステップＡ３でコンテンツに複数のジャンルが設定されている場合には、複数のジャンルの組み合わせがジャンル特定テーブルに登録ジャンルとして定義されているか否かを判断し（ステップＡ５）、複数のジャンルの組み合わせがジャンル特定テーブルに登録ジャンルとして定義されている場合には、該当する登録ジャンルを特定し（ステップＡ６）、複数のジャンルの組み合わせがジャンル特定テーブルに登録ジャンルとして定義されていない場合には、複数のジャンルの中で最も優先順位の高いジャンルを特定する（ステップＡ７）。
【００４２】
次に、本実施の形態におけるコンテンツの音声信号が１ｃｈである場合の音声出力モードについて図９を参照して詳細に説明する。
図９は、テレビジョン受信装置１におけるコンテンツの音声信号が１ｃｈである場合の音声出力モードを説明するためのフローチャートである。
【００４３】
システムコントローラ１０は、メモリ１７に記憶されているコンテンツ情報およびジャンル特定テーブルに基づいてコンテンツのジャンルを特定し（ステップＢ１）、特定したジャンルとコンテンツのチャンネル数：１ｃｈとに基づいて音声出力モードテーブルを参照して音声出力モードを決定する（ステップＢ２）。
【００４４】
次に、システムコントローラ１０は、決定した音声出力モードにおいて出力チャンネル数が１ｃｈであるか否かを判断し（ステップＢ３）、出力チャンネル数が１ｃｈである場合には、オーディオ制御部９を用いて１ｃｈの音声信号をセンタスピーカ１１Ｃのみから出力させる（ステップＢ４）。この音声出力モードは、コンテンツのジャンルが「ドキュメンタリ」、「ニュース」等の声中心のソースである場合に該当する。１ｃｈの音声信号であり、且つ声中心のソースである場合に、左右のフロントスピーカ１１Ｌ、１１Ｒから出力すると、視聴位置により左右のフロントスピーカ１１Ｌ、１１Ｒからの位相差で周波数により弱め合ったり、強め合ったりして、聞こえにくくなるが、センタスピーカ１１Ｃのみから出力することで、視聴位置がどこであっても明瞭に聞き取ることができる。また、センタスピーカ１１Ｃのみから出力する場合には、使わないチャンネルのアンプ１４Ｌ、１４Ｒ、１４ＳＷは電力を使わないようにすると良い。
【００４５】
ステップＢ３で出力チャンネル数が１ｃｈでない場合には、システムコントローラ１０は、決定した音声出力モードにおいて出力チャンネル数が２ｃｈであるか否かを判断し（ステップＢ５）、出力チャンネル数が２ｃｈである場合には、オーディオ制御部９のチャンネル数変換処理部９１によって１ｃｈの音声信号を２ｃｈの音声信号に変換するチャンネル数変換処理を行い（ステップＢ６）、２ｃｈの音声信号を左右のフロントスピーカ１１Ｌ、１１Ｒから出力させる（ステップＢ７）。この音声出力モードは、コンテンツのジャンルが「音楽」等の音楽中心のソースである場合に該当する。また、左右のフロントスピーカ１１Ｌ、１１Ｒから出力する場合には、使わないチャンネルのアンプ１４Ｃ、１４ＳＷは電力を使わないようにすると良い。なお、ステップＢ６でのチャンネル数変換処理としては、１ｃｈの音声信号をそのまま左右に割り当てて２ｃｈに変換しても良く、また、１ｃｈの音声信号をステレオ変換処理によって２ｃｈに変換しても良い。
【００４６】
ステップＢ５で出力チャンネル数が２ｃｈでない場合には、システムコントローラ１０は、決定した音声出力モードにおいて出力チャンネル数が３．１ｃｈであると判断し、オーディオ制御部９のチャンネル数変換処理部９１によって１ｃｈの音声信号を３．１ｃｈの音声信号に変換するチャンネル数変換処理を行い（ステップＢ８）、３．１ｃｈの音声信号を左右のフロントスピーカ１１Ｌ、１１Ｒ、センタスピーカ１１Ｃ、サブウーファ１１ＳＷから出力させる（ステップＢ９）。この音声出力モードは、コンテンツのジャンルが「映画」、「ドラマ」等の声＋音楽・効果音中心のソースである場合に該当する。ステップＢ８でのチャンネル数変換処理としては、まず、１ｃｈの音声信号をステレオ変換処理によって２ｃｈに変換し、さらにマトリクスデコード処理によって３．１ｃｈ又は５．１ｃｈに変換する。５．１ｃｈに変換した場合は、次に、５．１ｃｈに変換された音声信号のフロント側の３．１ｃｈを用いるようにしても良く、また、５．１ｃｈに変換された音声信号をダウンミックス処理もしくはバーチャルサラウンド処理によって３．１ｃｈに変換しても良い。また、サブウーファ１１ＳＷは、なくても良く、この場合には、３．１ｃｈでなく３ｃｈとなる。
【００４７】
次に、本実施の形態におけるコンテンツの音声信号が２ｃｈである場合の音声出力モードについて図１０を参照して詳細に説明する。
図１０は、テレビジョン受信装置１におけるコンテンツの音声信号が２ｃｈである場合の音声出力モードを説明するためのフローチャートである。
【００４８】
システムコントローラ１０は、メモリ１７に記憶されているコンテンツ情報およびジャンル特定テーブルに基づいてコンテンツのジャンルを特定し（ステップＣ１）、特定したジャンルとコンテンツのチャンネル数：２ｃｈとに基づいて音声出力モードテーブルを参照して音声出力モードを決定する（ステップＣ２）。
【００４９】
次に、システムコントローラ１０は、決定した音声出力モードにおいて出力チャンネル数が１ｃｈであるか否かを判断し（ステップＣ３）、出力チャンネル数が１ｃｈである場合には、オーディオ制御部９のチャンネル数変換処理部９１によって２ｃｈの音声信号を１ｃｈの音声信号に変換するチャンネル数変換処理を行い（ステップＣ４）、１ｃｈの音声信号をセンタスピーカ１１Ｃのみから出力させる（ステップＣ５）。この音声出力モードは、コンテンツのジャンルが「ドキュメンタリ」、「ニュース」等の声中心のソースである場合に該当する。また、センタスピーカ１１Ｃのみから出力する場合には、使わないチャンネルのアンプ１４Ｌ、１４Ｒ、１４ＳＷは電力を使わないようにすると良い。なお、ステップＣ４でのチャンネル数変換処理としては、２ｃｈの音声信号をダウンミックス処理によって１ｃｈに変換する。
【００５０】
ステップＣ３で出力チャンネル数が１ｃｈでない場合には、システムコントローラ１０は、決定した音声出力モードにおいて出力チャンネル数が２ｃｈであるか否かを判断し（ステップＣ６）、出力チャンネル数が２ｃｈである場合には、オーディオ制御部９を用いて２ｃｈの音声信号を左右のフロントスピーカ１１Ｌ、１１Ｒから出力させる（ステップＣ７）。この音声出力モードは、コンテンツのジャンルが「音楽」等の音楽中心のソースである場合に該当する。２ｃｈの音声信号であり、且つ音楽中心のソースである場合に、フロントスピーカ１１Ｌ、１１Ｒと共にセンタスピーカ１１Ｃにモノラル成分が出力されると、音声がずれて聞こえてきたり重なったりして聞こえにくくなると共に、本実施の形態のようにセンタスピーカ１１Ｃの高さが左右のフロントスピーカ１１Ｌ、１１Ｒと違ったり、また、スピーカ特性がセンタスピーカ１１Ｃと左右のフロントスピーカ１１Ｌ、１１Ｒとで異なったりすると、センタスピーカ１１Ｃを使用しない方が臨場感のある音楽を楽しむことができる。また、左右のフロントスピーカ１１Ｌ、１１Ｒから出力する場合には、使わないチャンネルのアンプ１４Ｃ、１４ＳＷは電力を使わないようにすると良い。さらに、サブウーファ１１ＳＷとの成分わけを行って２．１ｃｈに変換しても良い。
【００５１】
ステップＣ６で出力チャンネル数が２ｃｈでない場合には、システムコントローラ１０は、決定した音声出力モードにおいて出力チャンネル数が３．１ｃｈであると判断し、オーディオ制御部９のチャンネル数変換処理部９１によって２ｃｈの音声信号を３．１ｃｈの音声信号に変換するチャンネル数変換処理を行い（ステップＣ８）、３．１ｃｈの音声信号を左右のフロントスピーカ１１Ｌ、１１Ｒ、センタスピーカ１１Ｃ、サブウーファ１１ＳＷから出力させる（ステップＣ９）。この音声出力モードは、コンテンツのジャンルが「映画」、「ドラマ」等の声＋音楽・効果音中心のソースである場合に該当する。ステップＣ８でのチャンネル数変換処理としては、２ｃｈの音声信号をマトリクスデコード処理によって３．１ｃｈ又は５．１ｃｈに変換した後、５．１ｃｈに変換した場合は、５．１ｃｈに変換された音声信号をフロント側の３．１ｃｈを用いるようにしても良く、また、５．１ｃｈに変換された音声信号をダウンミックス処理もしくはバーチャルサラウンド処理によって３．１ｃｈに変換しても良い。さらに、２ｃｈの音声信号を３ｃｈに変換した後、サブウーファ１１ＳＷとの成分わけを行って３．１ｃｈに変換しても良い。また、サブウーファはなくてもよく、この場合は３．１ｃｈでなく３ｃｈとなる。
【００５２】
次に、本実施の形態におけるコンテンツの音声信号が５．１ｃｈである場合の音声出力モードについて図１１を参照して詳細に説明する。
図１１は、テレビジョン受信装置１におけるコンテンツの音声信号が５．１ｃｈである場合の音声出力モードを説明するためのフローチャートである。
【００５３】
システムコントローラ１０は、メモリ１７に記憶されているコンテンツ情報およびジャンル特定テーブルに基づいてコンテンツのジャンルを特定し（ステップＤ１）、特定したジャンルとコンテンツのチャンネル数：５．１ｃｈとに基づいて音声出力モードテーブルを参照して音声出力モードを決定する（ステップＤ２）。
【００５４】
次に、システムコントローラ１０は、決定した音声出力モードにおいて出力チャンネル数が１ｃｈであるか否かを判断し（ステップＤ３）、出力チャンネル数が１ｃｈである場合には、オーディオ制御部９のチャンネル数変換処理部９１によって５．１ｃｈの音声信号を１ｃｈの音声信号に変換するチャンネル数変換処理を行い（ステップＤ４）、１ｃｈの音声信号をセンタスピーカ１１Ｃのみから出力させる（ステップＤ５）。この音声出力モードは、コンテンツのジャンルが「ドキュメンタリ」、「ニュース」等の声中心のソースである場合に該当する。また、センタスピーカ１１Ｃのみから出力する場合には、使わないチャンネルのアンプ１４Ｌ、１４Ｒ、１４ＳＷは電力を使わないようにすると良い。なお、ステップＤ４でのチャンネル数変換処理としては、５．１ｈの音声信号をダウンミックス処理によって１ｃｈに変換しても良く、また、５．１ｈの音声信号をバーチャルサラウンド処理によって２ｃｈもしくは３．１ｃｈに変換した後、ダウンミックス処理によって１ｃｈに変換しても良い。
【００５５】
ステップＤ３で出力チャンネル数が１ｃｈでない場合には、システムコントローラ１０は、決定した音声出力モードにおいて出力チャンネル数が２ｃｈであるか否かを判断し（ステップＤ６）、出力チャンネル数が２ｃｈである場合には、オーディオ制御部９のチャンネル数変換処理部９１によって５．１ｃｈの音声信号を２ｃｈの音声信号に変換するチャンネル数変換処理を行い（ステップＤ７）、オーディオ制御部９を用いて２ｃｈの音声信号を左右のフロントスピーカ１１Ｌ、１１Ｒから出力させる（ステップＤ８）。この音声出力モードは、コンテンツのジャンルが「音楽」等の音楽中心のソースである場合に該当する。また、左右のフロントスピーカ１１Ｌ、１１Ｒから出力する場合には、使わないチャンネルのアンプ１４Ｃ、１４ＳＷは電力を使わないようにすると良い。なお、ステップＤ７でのチャンネル数変換処理としては、５．１ｈの音声信号をダウンミックス処理もしくはバーチャルサラウンド処理によって２ｃｈに変換すると良い。さらに、サブウーファ１１ＳＷとの成分わけを行って２．１ｃｈに変換しても良い。
【００５６】
ステップＤ６で出力チャンネル数が２ｃｈでない場合には、システムコントローラ１０は、決定した音声出力モードにおいて出力チャンネル数が３．１ｃｈであると判断し、オーディオ制御部９のチャンネル数変換処理部９１によって５．１ｃｈの音声信号を３．１ｃｈの音声信号に変換するチャンネル数変換処理を行い（ステップＤ９）、決定した音声出力モードにおいてセンタ強調処理が設定されているか否かを判断する（ステップＤ１０）。なお、ステップＤ９でのチャンネル数変換処理としては、５．１ｈの音声信号をダウンミックス処理もしくはバーチャルサラウンド処理によって３．１ｃｈに変換すると良い。また、サブウーファ１１ＳＷはなくてもよく、この場合は３．１ｃｈでなく３ｃｈとなる。
【００５７】
ステップＤ１０でセンタ強調処理が設定されていない場合には、システムコントローラ１０は、３．１ｃｈの音声信号を左右のフロントスピーカ１１Ｌ、１１Ｒ、センタスピーカ１１Ｃ、サブウーファ１１ＳＷから出力させる（ステップＤ１１）。この音声出力モードは、コンテンツのジャンルが「映画」、「ドラマ」等の声＋音楽・効果音中心のソースである場合に該当する。
【００５８】
ステップＤ１０でセンタ強調処理が設定されている場合には、システムコントローラ１０は、強調処理部９３を用いてセンタスピーカ１１Ｃからの音声出力を他のスピーカからの音声出力よりも強調させるセンタ強調処理を行い（ステップＤ１２）、３．１ｃｈの音声信号を左右のフロントスピーカ１１Ｌ、１１Ｒ、センタスピーカ１１Ｃ、サブウーファ１１ＳＷから出力させる（ステップＤ１１）。この音声出力モードは、コンテンツのジャンルが「映画」、「ドラマ」等の声＋音楽・効果音中心のソースであるが、音楽・効果音に比べて声のウエイトが高い場合に該当する。ステップＤ１０でのセンタ強調処理としては、センタスピーカ１１Ｃから出力される音声信号のみを増幅しても良く、また、センタスピーカ１１Ｃから出力される音声信号を増幅すると共に、他のスピーカから出力される音声信号を減幅しても良い。もしくは、センタスピーカ１１Ｃから出力される音声信号はそのままで、他のスピーカから出力される音声信号を減幅してもよい。Ｄ１０、Ｄ１２の処理はコンテンツの音声信号が１ｃｈもしくは２ｃｈで出力が３ｃｈもしくは３．１ｃｈの場合も同様に行うことができる。１ｃｈの場合は、Ｂ８とＢ９の間に、２ｃｈの場合は、Ｃ８とＣ９の間に挿入する。また、コンテンツの音声信号が２ｃｈの場合に、３ｃｈもしくは３．１ｃｈに変換する手段として、センタ強調処理の設定において、センタ強調処理前の左のフロントスピーカ１１Ｌの出力をＬ、右のフロントスピーカ１１Ｒの出力をＲとすると、センタ強調処理によって、左のフロントスピーカ１１Ｌの出力をＬ／αに、右のフロントスピーカ１１Ｒの出力をＲ／αに、センタスピーカ１１Ｃの出力を{（Ｒ＋Ｌ）（α−１）}／αにそれぞれ制御するようにすると良い。なお、αは、２?α??であり、αが大になるほど、センタスピーカ１１Ｃの割合が大きくなる。
【００５９】
次に、本実施の形態におけるリモコン２０の位置に応じた音声出力モードについて図１２乃至図１４を参照して詳細に説明する。
図１２は、テレビジョン受信装置１におけるリモコン２０の位置に応じた音声出力モードを説明するためのフローチャートであり、図１３は、図１に示すリモコン２０の位置を説明するための説明図であり、図１４は、図１に示すイコライザ処理部９４で行われる指向性補正処理を説明するための説明図である。
【００６０】
本実施の形態では、リモコン２０の位置が試聴位置であると仮定し、リモコン２０の位置に応じた音声出力モードが決定される。まず、システムコントローラ１０は、リモコン受光部１３から入力されたリモコン２０の位置を判定する（ステップＥ１）。ステップＥ１での判定は、リモコン２０が「センタからずれているか」、「ずれは所定角度β以上か」、「所定距離ｘ以上離れているか」、「所定距離ｙ（ｘ＜ｙ）以上離れているか」について行う。図１３に示す例では、位置ａのリモコン２０が「センタからずれているか」および「所定距離ｘ以上離れているか」の判定に該当し、位置ｂのリモコン２０が「センタからずれているか」および「ずれは所定角度β以上か」の判定に該当し、位置ｃのリモコン２０が「所定距離ｙ（ｘ＜ｙ）以上離れているか」の判定に該当する。なお、位置ｃのリモコン２０は、センタ上に位置していないが、例えばセンタから５°以内は、ほぼセンタと見なすものとする。なお、本実施の形態では、ｘ＜ｙとしたが、ｘ＝ｙもしくはｘ＞ｙとしても良い。
【００６１】
システムコントローラ１０は、「センタからずれているか」を判定し（ステップＥ２）、センタからずれていると判定した場合には、メモリ１７に記憶されている音声出力モードテーブルを参照することで、オーディオ制御部９のイコライザ処理部９４によって指向性補正処理を行うと共に（ステップＥ３）、遅延処理部１６によって遅延処理を行う（ステップＥ４）。
【００６２】
ステップＥ３での指向性補正処理は、高い周波数のゲインを上げる処理であり、センタからずれた位置で試聴した場合でも、各周波数の音圧レベルがフラットになるように制御される。すなわち、スピーカの特性は、図１４（ａ）に示すように、センタからずれるほど高い周波数の音圧レベルが低下する傾向があり、図１４（ｂ）に示すように、高い周波数のゲインを上げることで、図１４（ｃ）に示すように、センタからずれた位置（３０°）でも各周波数の音圧レベルをフラットにすることができ、センタからずれた試聴位置の角度に応じて高い周波数のゲインの上げ幅が制御される。
【００６３】
ステップＥ４での遅延処理は、左のフロントスピーカ１１Ｌから出力される音声信号、もしくは右のフロントスピーカ１１Ｒから出力される音声信号のいずれかを遅延させる処理であり、リモコン２０が図１３に示す位置ａにある場合には、リモコン２０と右のフロントスピーカ１１Ｒとの距離ｒよりもリモコン２０と左のフロントスピーカ１１Ｌとの距離ｌの方が長いため、遅延処理部１６によって距離（ｌ−ｒ）分の時間だけ右のフロントスピーカ１１Ｒから出力される音声信号が遅延され、左のフロントスピーカ１１Ｌからの音声と右のフロントスピーカ１１Ｒからの音声との到達時間を合わせることができる。さらに、左右のスピーカから出力される音量を調節して試聴位置でのＬ、Ｒのバランスを同じにさせてもよい。
【００６４】
システムコントローラ１０は、ステップＥ２でセンタからずれていると判定した場合には、さらに、「ずれは所定角度β以上か」を判定し（ステップＥ５）、ずれが所定角度β以上であると判定した場合には、メモリ１７に記憶されている音声出力モードテーブルを参照することで、オーディオ制御部９の音場変更処理部９２によってスイートスポット拡大処理を行う（ステップＥ６）。スイートスポット拡大処理によるスイートスポットの拡大は、センタからずれたところには効果的だが、センタ付近では音声がモノラル的になって逆効果となり、従って、試聴位置のずれがセンタから所定角度β以上であると判定された場合のみにスイートスポット拡大処理を行うようになっている。なお、ステップＥ３の指向性補正処理、ステップＥ４の遅延処理は、例えば複数の視聴者のときはＯＦＦさせるという設定にしても良い。同様に、ステップＥ６のスイートスポット拡大処理は、例えば1人の視聴者のときはＯＦＦさせるという設定にしても良い。
【００６５】
システムコントローラ１０は、ステップＥ２でセンタからずれていると判定し、且つステップＥ５でずれが所定角度β以上であると判定した場合には、さらに、「所定距離ｘ以上離れているか」を判定し（ステップＥ７）、所定距離ｘ以上離れていると判定した場合には、オーディオ制御部９のイコライザ処理部９４によって低音増強処理を行う（ステップＥ８）。音声は、スピーカから遠くなるほど、低音成分が他に比べて小さくなって行くため、試聴位置が所定距離ｘ以上離れていると判定された場合に低音増強処理を行うようになっている。
【００６６】
システムコントローラ１０は、ステップＥ２でセンタからずれていないと判定した場合には、さらに、「所定距離ｙ以上離れているか」を判定し（ステップＥ９）、所定距離ｙ以上離れていると判定した場合には、オーディオ制御部９の音場変更処理部９２によってスピーカ位置変更処理を行い（ステップＥ１０）、ステップＥ７に至る。例えば、ハイビジョン放送において画像を見る最適な角度は３３°であり、音声は６０°が良いとされているが、左右のフロントスピーカ１１Ｌ、１１Ｒの位置が表示部８に隣接しているため、表示部８からある程度以上距離があり、且つほぼセンタが試聴位置である場合には、スピーカ位置変更処理が行われるようになっている。スピーカの位置変更処理は、例えばステレオエンハンサーなどの信号処理によって仮想スピーカの位置を広げるという処理を行う。
【００６７】
次に、本実施の形態におけるボリュームに応じた音声モード決定動作について詳細に説明する。
【００６８】
操作部１８もしくはリモコン２０の操作によって、ボリュームが予め定められた所定ボリューム値よりも小さく設定された場合には、システムコントローラ１０は、ボリュームが予め定められた所定ボリューム値よりも小さいことを条件として音声出力モードテーブルを参照することで音声出力モードを決定する。
【００６９】
ボリュームが予め定められた所定ボリューム値よりも小さい場合には、決定される音声出力モードとしてセンタ強調処理が設定されており、システムコントローラ１０は、オーディオ制御部９の強調処理部９３によってセンタ強調処理を行うことで、センタスピーカ１１Ｃからの音声出力を他のスピーカからの音声出力よりも強調し、セリフ等の声を聴取しやすくする。
【００７０】
次に、本実施の形態における雑音レベルに応じた音声モード決定動作について詳細に説明する。
【００７１】
雑音検知部１２によって予め定められた所定値以上の雑音レベルが検出された場合には、システムコントローラ１０は、雑音レベルが予め定められた所定値以上であることを条件として音声出力モードテーブルを参照することで音声出力モードを決定する。
【００７２】
雑音レベルが予め定められた所定値以上である場合には、決定される音声出力モードとしてセンタ強調処理が設定されており、システムコントローラ１０は、オーディオ制御部９の強調処理部９３によってセンタ強調処理を行うことで、センタスピーカ１１Ｃからの音声出力を他のスピーカからの音声出力よりも強調し、雑音に左右されることなくセリフ等の声を聴取しやすくする。
【００７３】
次に、本実施の形態における時刻に応じた音声モード決定動作について詳細に説明する。
【００７４】
システムコントローラ１０は、時計機能を有しており、時刻が夜間の場合（例えばＰＭ１１：００〜ＡＭ５：００）には、時刻が夜間であることを条件として音声出力モードテーブルを参照することで音声出力モードを決定する。
【００７５】
時刻が夜間である場合には、決定される音声出力モードとしてセンタ強調処理が設定されており、システムコントローラ１０は、オーディオ制御部９の強調処理部９３によって低音増強処理を行うことで、センタスピーカ１１Ｃからの音声出力を他のスピーカからの音声出力よりも強調し、近隣への騒音を軽減する。なお、センタ強調処理はＬ、Ｒ成分に対してセンタ成分を大きくしてもよいし、センタ成分に対してＬ、Ｒ成分を小さくしてもよいし、センタ成分を大きくＬ、Ｒ成分を小さくしてもよい。
【００７６】
なお、本実施の形態では、各種条件に応じてセンタ強調処理をオーディオ制御部９の強調処理部９３によって行うように構成したが、リモコン２０もしくは操作部１８に、センタスピーカ１１Ｃの独立ボリューム（もしくはバランス調整）を設け、視聴者によってセンタ強調を行えるようにしても良い。
【００７７】
また、上述の説明では、各条件について個別に説明したが、複数の条件が重なっている場合には、それぞれの音声出力モードが適用される。但し、オーディオ制御部９の音場変更処理部９２で行われるスイートスポット拡大処理およびスピーカ位置変更処理と、オーディオ制御部９の強調処理部９３で行われるセンタ強調処理とは、出力チャンネルが３．１ｃｈである場合に限られ、オーディオ制御部９のイコライザ処理部９４で行われる指向性補正処理と、遅延処理部１６で行われる遅延処理とは、出力チャンネルが２ｃｈ以上である場合に限られるものとする。
【００７８】
さらに、本実施の形態のテレビジョン受信装置１では、サブウーファ１１ＳＷを設け、３．１ｃｈに対応できるように構成したが、必ずしもサブウーファ１１ＳＷを設ける必要はなく、サブウーファ１１ＳＷを設けない場合には、チャンネル数変換処理部９１によって、３．１ｃｈの代わりに３ｃｈにチャンネル数を変換させるようにすると良い。この場合、サブウーファの出力成分は、他のスピーカに分配して出力してもいいし、出力しなくてもよい。同様に２．１ｃｈ出力は、２ｃｈ出力となる。
【００７９】
以上説明したように、本実施の形態によれば、メモリ１７にジャンルおよびコンテンツのチャンネル数の組み合わせに対応した出力チャンネル数を記憶しておき、システムコントローラ１０は、ジャンルおよびコンテンツのチャンネル数に基づいて特定した出力チャンネル数と、コンテンツのチャンネル数とが異なる場合に、サラウンド処理部９１によってコンテンツのチャンネル数を出力チャンネル数に変換するように構成することにより、ジャンルおよびコンテンツのチャンネル数に適した出力チャンネル数で音声出力できるため、コンテンツのチャンネル数に左右されることなく最適なリスニング環境を実現することができるという効果を奏する。
【００８０】
さらに、本実施の形態によれば、出力チャンネル数が１ｃｈである場合には、センタスピーカ１１Ｃのみから音声出力させ、左右のフロントスピーカ１１Ｌ、１１Ｒからは音声出力させないように構成することにより、声中心のソースである場合に、左右のフロントスピーカ１１Ｌ、１１Ｒから出力すると、視聴位置により左右のフロントスピーカ１１Ｌ、１１Ｒからの位相差で周波数により弱め合ったり、強め合ったりして、聞こえにくくなるが、センタスピーカ１１Ｃのみから出力することで、視聴位置がどこであっても明瞭に聞き取ることができるという効果を奏する。
【００８１】
さらに、本実施の形態によれば、出力チャンネル数が２ｃｈである場合には、左右のフロントスピーカ１１Ｌ、１１Ｒから音声出力させ、センタスピーカ１１Ｃからは音声出力させないように構成することにより、音楽中心のソースである場合に、センタスピーカ１１Ｃにモノラル成分が出力されると、音声がずれて聞こえてきたり重なったりして聞こえにくくなると共にセンタスピーカ１１Ｃの高さが左右のフロントスピーカ１１Ｌ、１１Ｒと違ったり、また、スピーカ特性がセンタスピーカ１１Ｃと左右のフロントスピーカ１１Ｌ、１１Ｒとで異なったりすると、センタスピーカ１１Ｃを使用しない方が臨場感のある音楽を楽しむことができるという効果を奏する。
【００８２】
さらに、本実施の形態によれば、音声出力させない左右のフロントスピーカ１１Ｌ、１１Ｒもしくはセンタスピーカ１１Ｃのアンプには、電力供給を停止させるように構成することにより、消費電力を低減させることができるという効果を奏する。
【００８３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００８４】
【図１】本発明に係るテレビジョン受信装置の実施の形態の構成を示すブロック図である。
【図２】図１に示すテレビジョン受信装置の正面図である。
【図３】図１に示すチャンネル数変換処理部の機能を説明する説明図ある。
【図４】図１に示すリモコン受光部の構成図である。
【図５】図１に示すメモリに記憶されているジャンル特定テーブル例を示す図である。
【図６】図１に示すメモリに記憶されている音声出力モードテーブル例を示す図である。
【図７】図１に示すメモリに記憶されている音声出力モードテーブル例を示す図である。
【図８】図１に示すシステムコントローラで行われるジャンル特定動作を説明するためのフローチャートである。
【図９】本発明に係るテレビジョン受信装置の実施の形態におけるコンテンツの音声信号が１ｃｈである場合の音声出力モードを説明するためのフローチャートである。
【図１０】本発明に係るテレビジョン受信装置の実施の形態におけるコンテンツの音声信号が２ｃｈである場合の音声出力モードを説明するためのフローチャートである。
【図１１】本発明に係るテレビジョン受信装置の実施の形態における音声信号が５．１ｃｈである場合の音声出力モード決定動作を説明するためのフローチャートである。
【図１２】本発明に係るテレビジョン受信装置の実施の形態におけるリモコンの位置に応じた音声出力モードを説明するためのフローチャートである。
【図１３】図１に示すリモコンの位置を説明するための説明図である。
【図１４】図１に示すイコライザ処理部で行われる指向性補正処理を説明するための説明図である。
【符号の説明】
【００８５】
１  テレビジョン受信装置
２  アンテナ
３  チューナ
４  多重化復元部
５  映像復号部
６  音声復号部
７  コンテンツ情報復号部
８  表示部
９  オーディオ制御部
１０  システムコントローラ（出力チャンネル数特定手段）
１１Ｌ  左のフロントスピーカ
１１Ｒ  右のフロントスピーカ
１１Ｃ  センタスピーカ
１１ＳＷ  サブウーファ
１２  雑音検知部
１３  リモコン受光部
１４Ｌ、１４Ｒ、１４Ｃ、１４ＳＷ  アンプ
１５  ボリューム
１６  遅延処理部
１７  メモリ（音声出力モード記憶手段）
１８  操作部
２０  リモコン
９１  チャンネル数変換処理部（出力チャンネル数変換手段）
９２  音場変更処理部
９３  強調処理部
９４  イコライザ処理部
１３１ａ、１３１ｂ、１３１ｃ  受光素子
１３２ａ、１３２ｂ、１３２ｃ  指向特性
【図１】
0004616155.tif 000002
【図２】
0004616155.tif 000003
【図３】
0004616155.tif 000004
【図４】
0004616155.tif 000005
【図５】
0004616155.tif 000006
【図６】
0004616155.tif 000007
【図７】
0004616155.tif 000008
【図８】
0004616155.tif 000009
【図９】
0004616155.tif 000010
【図１０】
0004616155.tif 000011
【図１１】
0004616155.tif 000012
【図１２】
0004616155.tif 000013
【図１３】
0004616155.tif 000014
【図１４】
0004616155.tif 000015